(57)【要約】      （修正有）【課題】物入れ部位が多くても、簡単にかつ低価格にてリュックサックを得る。【解決手段】両肩部に設けられる２つの一方の肩部連結部材５と、肩から裾側に渡って直線状に設けられる２つの胴部連結部材４を有する１つの胴本体部１と、一方の肩部連結部材５に接離可能とされる他方の肩部連結部材５と、他方の肩部連結部材５側から袖口側に伸びる袖部連結部材４ａを有する２つの袖部２とを備え、胴本体部１と袖部２とは一方と他方の肩部連結部材５による結合・分離によって互いに取り付け、取り外しが可能とされ、胴本体部１は、表側と裏側が互いに合体・連結されて幅狭とすることが可能とされ、袖部２は幅方向の一部が内側に幅狭に折り畳まれるとき、袖部連結部材４ａによってその幅狭を維持可能とされ、胴本体部１は裾側が閉じられて袋状に形成可能とされるとともに、折り畳まれた袖部２は胴本体部１に取り付け可能とされている。【選択図】図１
2009275307.tif 000002
【特許請求の範囲】
【請求項１】
両肩部に設けられる２つの一方の肩部連結部材と肩から裾側に渡って直線状に設けられる２つの胴部連結部材を有する１つの胴本体部と、上記一方の肩部連結部材に接離可能とされる他方の肩部連結部材と、上記他方の肩部連結部材側から袖口側に伸びる袖部連結部材を有する２つの袖部とを備え、上記胴本体部と上記袖部とは上記一方と他方の肩部連結部材による結合・分離によって互いに取り付け、取り外しが可能とされ、上記胴本体部は、上記袖部から取り外された際、脇側が内側に折り畳まれて上記胴連結部材で表側と裏側が互いに合体・連結されて幅狭とすることが個可能とされ、上記袖部は幅方向の一部が内側に幅狭に折り畳まれるとき、上記袖部連結部材によってその幅狭を維持可能とされ、上記胴本体部は裾側が閉じられて袋状に形成可能とされるとともに上記折り畳まれた袖部は上記胴本体部に取り付け可能とされていることを特徴とするリュックサック兼用ジャンパー。
【請求項２】
上記折り畳まれた際の前記袖部は、前記胴本体部の肩の部分に設けられている掛け具と前記胴本体部の袖部に設けられている角カンと連結して肩帯となるように構成されていることを特徴とする請求項１記載のリュックサック兼用ジャンパー。
【請求項３】
前記角カンと前記肩帯とは、送りカンで長さ調節が可能とされている延長ベルトで連結されていることを特徴とする請求項２記載のリュックサック兼用ジャンパー。
【請求項４】
前記胴本体部の裾部は、巾着状に閉じられるように構成されていることを特徴とする請求項１，２または３記載のリュックサック兼用ジャンパー。
【請求項５】
前記ジャンパーとしてのフード部分は、巾着形状に閉じられてリュックサックの蓋となるように構成されていることを特徴とする請求項１、２、３または４記載のリュックサック兼用ジャンパー。
【請求項６】
ジャンパーの２つの袖部を切り離した１つの胴本体部に、上記２つの袖部から形成される２つの肩帯を接合したジャンパーを転用したリュックサックであって、上記胴本体部は脇側が内側に折り畳まれまたは脇の下方が切断され、縫い合わせにより表側と裏側が互いに合体・連結されて幅狭とされ、上記袖部は幅方向の一部が内側に幅狭に折り畳まれまたは幅狭となるように切断され、縫い合わせによりその幅狭が維持され、上記胴本体部は裾側が閉じられて袋状に形成されるとともに上記折り畳まれた上記袖部は上記胴本体部に取り付けられ上記肩帯とされたことを特徴とするジャンパーを転用したリュックサック。
【請求項７】
前記ジャンパーに付されていたロゴマークが外から見えるようにしたことを特徴とする請求項６記載のジャンパーを転用したリュックサック。
【請求項８】
前記ジャンパーに付されていたフードを蓋としたことを特徴とする請求項６記載のジャンパーを転用したリュックサック。
【発明の詳細な説明】
【技術分野】
【０００１】
本発明は、ジャンパーを衣服としてのみならず、衣服として使用しないときには容易に転用してリュックサック等の収納袋に用いることが可能となるリュックサック兼用ジャンバーおよびジャンパーを転用したリュックサックに係る。
【背景技術】
【０００２】
従来からジャンパーは、単に上着としての機能の他に防塵、防水、防寒という物理的・化学的機能などを持たせて多方面で利用されている。さらに、ジャンパーはスポーツなどの運動着として動きやすいなどの機能を付加することが容易にできるとともに、多様なファッション性なども取り込むことができ、年齢に関わりなく多くの人々に愛用されている。
【０００３】
通常、ジャンパーというジャンルはいくつかに分かれていて、ファッション性が少なく機能性が重視されたものはジャンパーと呼ばれており、ジャンパーよりファッション性が求められたものはブルゾンと呼ばれている。また、ジーンズ素材が用いられたり、テキサス風にデザインされたりしているものは、Ｇジャンと呼ばれることが多い。また機能的な面から防寒ジャケットと呼ばれているものがある。このように、外観や機能の若干の違いで呼び方が異なっているが、以後、これらをひとまとめにして、ジャンパーという用語に統一して用いることとする。
【０００４】
このように、ジャンパーは使い勝手が良いので、老若男女に幅広くまた長期にわたりあるいは折に触れて気軽に愛用されている。したがって、そのジャンパーに施された模様やロゴに愛着をことのほか持っている人も多い。
【０００５】
例えばスキーウエアーのような防寒ジャンパーには、見栄えを良くするために色々なイニシャルやロゴや絵や模様（以下ロゴと総称する）が入っているのが見受けられる。また、長年使用することにより愛着も湧いてきたり、それによって自分と他人とを識別したりするステータス的な役割なども果たされるようになることもある。
【０００６】
近年有限な資源を大切に活用するという観点からも、例えば色々な資源をリサイクルして再利用することが奨励されている。このためには、一つの製品を多目的に活用できるようにすれば、結果として省資源活動を担うことともなる。一つの例として成人用防寒ジャンバーを幼児用寝冷え防止寝袋に転化できる方法が提案されている（特許文献１）。
【０００７】
また、リュックサックを多目的に利用する方法として、リュックサック兼用寝袋が提案されている（特許文献２）。
【０００８】
【特許文献１】特開２００６−３１２８００
【特許文献２】特開２００７−７５５００
【発明の開示】
【発明が解決しようとする課題】
【０００９】
従来は、ジャンパーやリュックサックを寝袋に転用できる方法が提案されているが、寝袋は夜に使用するため、ロゴに愛着を持ったり、ステータス的な意識を持ったりするものにとっては、それらの役割を殆ど果たさない。また、リュックサックは物を入れる部位が多数存在している方が使いやすいが、多数の物入れ部位を作るとなると、手間と費用がかかる物となる。
【００１０】
本発明は、ロゴなどへの愛着や、ロゴなどにステータス的な意識を持つ者の愛着や意識をそのまま継続させる一方、物入れ部位が多くても簡単にかつ低価格にてリュックサックを得ることができるようにすることを目的とする。
【課題を解決するための手段】
【００１１】
本発明のリュックサック兼用ジャンパーは、両肩部に設けられる２つの一方の肩部連結部材と肩から裾側に渡って直線状に設けられる２つの胴部連結部材を有する１つの胴本体部と、一方の肩部連結部材に接離可能とされる他方の肩部連結部材と、他方の肩部連結部材側から袖口側に伸びる袖部連結部材を有する２つの袖部とを備え、胴本体部と袖部とは一方と他方の肩部連結部材による結合・分離によって互いに取り付け、取り外しが可能とされ、胴本体部は、袖部から取り外された際、脇側が内側に折り畳まれて胴連結部材で表側と裏側が互いに合体・連結されて幅狭とすることが個可能とされ、袖部は幅方向の一部が内側に幅狭に折り畳まれるとき、袖部連結部材によってその幅狭を維持可能とされ、胴本体部は裾側が閉じられて袋状に形成可能とされるとともに折り畳まれた袖部は胴本体部に取り付け可能とされている。
【００１２】
これにより、簡単にジャンパーとリュックサック相互に変更利用することが可能となる。また、ロゴなどへの愛着や、ロゴなどにステータス的な意識を持つ者の愛着や意識をそのまま継続させる一方、物入れ部位が多くても簡単にかつ低価格にてリュックサックを得ることができる
【００１３】
また、他の発明のリュックサック兼用ジャンパーは、上記の発明に加えて、折り畳まれた際の袖部は、胴本体部の肩の部分に設けられている掛け具と胴本体部の袖部に設けられている角カンと連結して肩帯となるように構成されている。
【００１４】
これにより、袖部を肩帯代わりに使用するので、使用する部材を少なくすることができる。
【００１５】
さらに、本発明のリュックサック兼用ジャンパーは、上記の発明に加えて、角カンと肩紐とは、送りカンで長さ調節が可能とされている延長ベルトで連結されている。
【００１６】
これにより、肩紐の長さ調節が可能となる。
【００１７】
さらにまた、他の発明のリュックサック兼用ジャンパーは、上記の発明に加えて裾部は、巾着状に閉じられるように構成されている。
【００１８】
これにより、各種の連結部材を予め設けなくても、リュックサックの底が容易に形成される。
【００１９】
また、他の発明のリュックサック兼用ジャンパーは、上記の発明に加えて、ジャンパーとしてのフード部分は、巾着形状に閉じられてリュックサックの蓋となるように構成されている。
【００２０】
これにより、ジャンパーとしてのフード部分をリュックサックの蓋にするので、雨水等のリュックサックへの侵入を簡単に防ぐことができる。
【００２１】
さらに、本発明の転用したリュックサックは、ジャンパーの２つの袖部を切り離した１つの胴本体部に、２つの袖部から形成される２つの肩帯を接合したジャンパーを転用したリュックサックであって、胴本体部は脇側が内側に折り畳まれまたは脇の下方が切断され、縫い合わせにより表側と裏側が互いに合体・連結されて幅狭とされ、袖部は幅方向の一部が内側に幅狭に折り畳まれまたは幅狭となるように切断され、縫い合わせによりその幅狭が維持され、胴本体部は裾側が閉じられて袋状に形成されるとともに折り畳まれた袖部は胴本体部に取り付けられ肩帯とされている。
【００２２】
これにより、古くなったジャンパーであっても、リュックサックに転用して再利用することができる。
【００２３】
また、他の発明の転用したリュックサックは、  前記ジャンパーに付されていたロゴマークが外から見えるように構成されている。
【００２４】
これにより、ロゴなどへの愛着や、ロゴなどにステータス的な意識を持つ者の愛着や意識をそのまま継続させることができる。
【００２５】
また、他の発明の転用したリュックサックは、ジャンパーに付されていたフードを蓋としている。
【００２６】
これにより、フードを蓋にすることができるので、新たに蓋を取り付ける必要がない。
【発明の効果】
【００２７】
以上説明したように、本発明によれば、ロゴなどへの愛着や、ロゴなどにステータス的な意識を持つ者の愛着や意識をそのまま継続させる一方、物入れ部位が多くても簡単にかつ低価格にてリュックサックを得ることができる
【発明を実施するための最良の形態】
【００２８】
以下、本発明の第１の実施の形態について図１〜７を用いて説明する。
【００２９】
図１は、本発明のリュックサック兼用ジャンパー１００を図１に示す。図１（Ａ）は、リュックサック兼用ジャンパー１００の前側を示す底面図で、（Ｂ）は、リュックサック兼用ジャンパー１００の背面側を示す底面図である。このリュックサック兼用ジャンパー１００は、元は普通のジャンパーから形成されたもので、胴本体部１と、袖部２と、フード部３とで構成されている。なお、フード部３は省略することもできる。胴本体部１には、一方の肩部連結部材５ａ例えば肩部エレメント務歯が設けられ、袖部２には、他方の肩部連結部材５ｂ、例えば肩部エレメント務歯が設けられている。以下では、両方の肩部連結部材５ａ、５ｂを纏めて指すときは、肩連結部材５と称することとする。胴本体部１および袖部２側のそれぞれの肩部エレメント務歯５は、それぞれに公知のファスナー用のスライダー（図示せず）によって形成されている。すなわち、リュックサック兼用ジャンパー１００は、一つの用途として、胴本体部１と袖部２とを肩部連結部材５によって結合合体させて、ジャンパーとして用いる。リュックサック兼用ジャンパー１００には、もう一つの用途として、胴本体部１と袖部２とを切り離して別々とし、その後、胴本体部１の肩部に袖部２を結合合体させてリュックサックとして用いる。肩部連結部材５ａは、胴本体部１と袖部２とが切り離されて発生した胴本体部１の開口面を閉じるような機能も与えられている。
【００３０】
すなわち、胴本体部１と袖部２とが合体する連結面となる肩部連結部材５は、着衣するとき腕が通されるのでほぼ円形状とされており、それぞれの連結面端部にリング形状に肩部連結部材５すなわち肩部ファスナーのエレメント務歯が設けられている。なお、端部の連結部分の隙間をなくして、雨水や風の侵入を防ぐために、図２（Ａ）に部分斜視図で示されている袖部２のように、肩部連結部材５ｂを覆い隠すこととなる、肩部連結部材カバー２ａを設けるようにしても良い。すなわち、袖部２の胴本体部１と切り離された端部よりやや内側となる位置には、肩連結部材５ｂが設けられ、その肩部連結部材５ｂ例えばエレメント務歯を覆うように肩部連結部材カバー２ａが設けられている。この肩部連結部材カバー２ａと対向するように、かつ肩部連結部材５ｂから片側にかけて肩挿入部２ｂが設けられている。
【００３１】
したがって、胴本体部１と袖部２とが合体連結されると、図２（Ｂ）の部分斜視図で示すように、肩連結部材カバー２ａは胴本体部１の外側となり、肩挿入部２ｂは、胴本体部１の内側に挿入された三重構造となり、合体連結部分がカバーされる。また、胴本体部１側の肩部連結部材５ａすなわち肩部エレメント務歯が端部に設けられていても、肩部連結部材カバー２ａの長さを適宜設定することにより、肩部連結部材５すなわち肩部エレメント務歯の結合連結部分がカバーされる。また、胴本体部１側に挿入される部分を省略し、胴本体部１の外側となる肩部連結カバー２ａのみとしても良い。これにより、合体連結部分の密閉度が確保され、雨水や風等の侵入が防止されることとなる。なお、この肩部連結部材カバー２ａは、胴本体部１側に設けても良いし、また胴本体部１と袖部２の両方に設けるようにしても良い。
【００３２】
図１（Ａ）、（Ｂ）に示されているように、胴本体部１には、袖部２との接合部分より内側の位置で、肩の部分より垂直下方に向けて裾側に至るまで胴本体部１の表側と裏側両面に胴連結部材４すなわち胴エレメント務歯が設けられている。胴連結部材４は、肩部連結部材５とは異なり、胴本体部１の中心側の部分と、胴本体部１の外側の部分とを切り離す構成とはされていない。胴側面１ａ、すなわち胴本体部１の外側が折り畳まれて、中心側にきたとき、その外側を閉じる働きを胴連結部材４は行う。
【００３３】
この胴連結部材４の表側と裏側の位置は、任意の位置に設けられていても差し支えないが、好ましくは胴本体部１の表と裏のほぼ対称の位置に設けられていると、リュックサック１００ａ（図６参照）に変更するときに作業がやりやすく都合が良い。また、胴本体部１の表側には、収納部７例えばポケットが設けられているのが好ましい。このポケット７は、外付けでも良いし、またポケット７の入り口だけが表側から見えるように内付けとされていても良い。なお、このポケット７は、収納物がこぼれないようにチャックまたはボタンでポケットの入り口を塞ぐことができるようにしたり、雨蓋を設けたりしておくと良い。なお、胴本体部１の内側にポケット７を設けるようにして、表側のポケット７を省略しても良いし、表側、内側両方にポケットを設けるようにしても良い。
【００３４】
袖部２は、リュックサック兼用ジャンパー１００が後述するリュックサック１００ａとされたとき、リュックサック１００ａの肩掛け機能を有する肩帯９（図５参照）とされるものである。通常、袖部２のままでは幅が広くて扱い難いこともあり、肩帯９として使用しやすくさせるために、袖部２の幅が狭められているのが好ましい。すなわち、図１（Ａ）（Ｂ）に示されているように、袖部２の向かい合うような位置それぞれに肩口側から袖口側に向けて直線状に袖部連結部材４ａ例えば袖部エレメント務歯が設けられる。この袖部連結部材４ａは、肩部連結部材５や胴連結部材４とは異なり、袖部２の上側半分と、下側半分半分とを切り離す構成とはされていない。袖部２の表側の袖部連結部材４ａと、裏側の袖部連結部材４ａを結合させる機能をこの袖部連結部材４ａは有している。
【００３５】
なお、図１（Ａ）（Ｂ）では、この袖部連結部材４ａは、表側と裏側の概ね中央に設けられているように図示されているが、他の位置としても良い。すなわち、袖部連結部材４ａの位置は、肩帯９としての幅が確保でき、肩部連結部材５のスライダー（図示せず）がスライドするときに妨げにならないように考慮されていて、袖部２の長さ方向に対して平行とされているならば、どのような配置にされていても良い。袖部２は、それぞれの位置に設けられている袖部連結部材４ａとなる袖部エレメント務歯の中間部分を内側に折り曲げられることにより、両方のエレメント務歯がスライダー（図示せず）で合体可能とされ、袖部２より幅狭とされて肩帯９として用いられる寸法となる（詳細は図４参照）。なお、袖部２をそのまま肩帯９として用いられるようにしても良い。
【００３６】
胴本体部１の裾側の部分は、リュックサック兼用ジャンパー１００が身につけられたとき、裾側が開いて雨水が侵入するのを防ぐための工夫がされているのが普通である。すなわち、折り返しの部分６ａが設けられ、その折り返し部分６ａに紐６が通される。この紐６を締めることにより、雨水等の侵入を防止することができるようになっている。この紐６は、リュックサック１００ａとして使用するときは、裾側の開口している部分がなくなるよう巾着状に絞り込みがされることにより、開口が閉じられてリュックサック１００ａの底部（図示せず）が形成される。
【００３７】
なお、紐６で絞り込む代わりにファスナーで閉じるようにしたり、ボタンやフックあるいは面ファスナー例えばマジックテープ（登録商標）を用いたり、さらには図示されていないが予め裾全域に複数の穴を設けておき、その穴に順次表、裏と交互に縫い糸を通すように紐６を通して巾着状に絞り込むようにしたり、裾の部分を折り曲げて、縫い合わせ、ピン留め、ボタンやフックあるいはファスナーなど公知の方法で開口を閉じるようにしたりしても良い。
【００３８】
フード３は、胴本体部１にボタンなどの連結部材で取り付け、取り外しが可能とされていたり、あるいは胴本体部１と一体化されたりして配設されている。このフード３には、フード３の開口部分を閉じることができるように、端部を折り返し、その折り返し部３ａに紐３ｂが通されていて、その紐３ｂを絞りこむことにより開口を小さくしたり、開口をなくしたりすることができるようになっている。
【００３９】
また、図示しないが、紐３ｂで閉じられる代わりに、フード３が胴本体部１の胸側に折り曲げられ、フード３が面ファスナーやフックあるいはボタンなどによって胴本体部１の胸側に合体・係止され、胴本体部１の首の部分に相当する開口部分が蓋状に塞がれるようにしても良い。また、フード３がない場合は、胴本体部１の首回り部分に折り返し部（図示せず）を設けて紐３ｂが通されるように縫い合わされ、そこに通された紐３ｂが巾着状に締められて開口を閉じられることができるようにしておけば良い。また、フード３の取り付け取り外しが可能とされ、さらに首回りに上述の折り返し部も設けられるようにして、両方の機能が持たせられるようにしても良い。
【００４０】
リュックサック兼用ジャンパー１００をジャンパーとして着用するとき、前開きあるいはすっぽり頭から被るかのいずれかの形状が選択される。前開きの場合は、前開きができるようにするために前開き連結部材８例えばファスナーが設けられている。この前開き連結部材８は、図１（Ａ）において向かって右側に配置される前開き連結部材８ａと、向かって左側に配置される前開き連結部材８ｂとで構成されている。この前開きする部分は、後述するリュックサック１００ａの正面の開口として利用が可能とされる。このように前開きが可能とされると、上方の首の部分（上方部分）より収納物を出し入れするだけでなく、正面からも出し入れすることができるという利点がある。この前開き連結部材８は、ルックサック兼用ジャンパー１００の元となるジャンパーのものがそのまま転換使用されるので、ファスナーだけでなく、元となるジャンパーに使用されていたボタンやフックあるいは面ファスナーなどであっても良い。
【００４１】
図３は、胴本体部１を示す図で、袖部２が取り外されている状態が示されている。図３（Ａ）は、正面側すなわち人間が着用した場合、人体の腹部の側であり、図３（Ｂ）は、裏側すなわち人体の背中側である。袖部２が取り外されていることにより、その取り外された部分は穴が空いた開口状態とされている。一方、取り外された袖部２の端部となる肩部連結部材５ｂは、袖部２の肩部連結部材５ｂと連結していた肩部連結部材５ａの片方が切り離されたそのままの状態で露出し、断面形状はリング状とされている。このリング形状の肩部連結部材５ｂが閉じられると、袖部２の断面は扁平形状にされ、リュックサック１００ａの肩帯９（後述図示）とされる。例えば肩部連結部材５ｂがエレメント務歯の場合は、リング形状が押しつけられて扁平にされたとき、押しつけられて向かい合うエレメント務歯同士がスライダー（図示せず）で合体されたり、あるいはボタンが設けられている場合は、ボタン掛け穴（図示せず）に相当する部材が設けられたりするなどして扁平状に閉じられる。
【００４２】
なお、上述の肩部連結部材５ａの開口部分は閉じられるようにしても良いが、閉じられないようにしても良い。後述するように、リュックサック１００ａとする場合は、図４に示すように胴側面１ａが内側に折り畳まれて幅が小さくされるので、その折りに同時に開口がなくなるようにされることもある。このため、肩連結部材５ａで閉じないようにすることも可能である。
【００４３】
図４（Ａ）、（Ｂ）は、図３に示されている胴本体部１の胴側面１ａが折り畳まれたときの様子が示されている。図４（Ａ）では表側が、（Ｂ）では裏側が示されている。表側には、ロゴ５０（ここでは文字）が印刷や刺繍など公知の手段で表示されている。なお、このロゴ５０は、裏側に表示されていても良いし、また表と裏側両方に表示されていても良い。なお、以後の図面においては、ロゴ５０の図示を省略する。点線で示されている胴側面１ａは、胴本体部１の内側に折り畳まれて表側と裏側のそれぞれの胴連結部材４で外側面が閉じられ、外部に露出しないように合体されている。この結果、当初は幅広であったリュックサック兼用ジャンパー１００は、縮められて図６に示されているようなリュックサック１００ａに適した幅とされる。
【００４４】
なお、リュックサック１００ａを幅広として用いたい場合は、胴本体部１の胴側面１ａが内側に折り畳まれることなく用いられる。また、幅広としたい場合は、袖部２が取り外されて開口とされている部分は、閉じられる必要があり、この場合袖部２と合体する胴本体部１側の肩連結部材５ａ、例えばファスナーの場合ではスライダー（図示せず）を設けたりしてリング形状とされている肩部エレメント務歯を閉じさせたり、あるいはボタンの場合はボタンとその掛け穴を適宜設けたりして合体させるようにして、開口が塞がれるようにすれば良い。
【００４５】
また、図６に示すようなリュックサック１００ａとして用いられる場合、型くずれがしなくて背負い易くするため、図４に示すように、背中当てパット１ｂが設けられるのが好ましい。すなわち、胴本体部１の背中側の内側に、例えばリュックサック兼用ジャンパー１００となる前のジャンパーに裏地がある場合は、その裏地と表側の生地との間に背中当てパット１ｂが挿入、位置決めされる背中当てパット収納用ポケット１ｃが設けられる。この背中当て収納用ポケット１ｃは、表地と裏地を縫い合わせても良いし、また接着剤での接着や図示しないが連結部材例えばファスナーやボタンあるいはフック等で裏地が表地に固定されて、背中当て収納用ポケット１ｃが形成されるようにしても良い。なお、裏地がない場合は、背中当てパット１ｂが挿入可能となるように、別の生地を用いて背中当てパット収納用ポッケト１ｃを設ければよい。また、型くずれの防止を必要としないときに使用する場合は、この背中当てパット収納用ポケット１ｃを設けなくて、背中当てパット１ｂも用いなくても良い。
【００４６】
次に図５を用いて、次の図６で説明するリュックサック１００ａに用いられている胴本体部１と肩帯９との関係を説明する。
【００４７】
図５（Ａ）で示されているように、胴本体部１の両方の肩の部分に肩章のように掛け具１０がそれぞれ設けられている。この掛け具１０は、図１から図４では図示を省略したもので、リュックサック兼用ジャンパー１００に備えられたものである。しかし、この掛け具１０は、リュックサック１００ａとする際に取り付けられるようにしても良い。図５では、掛け具１０を片方の肩に２個設けられているように図示されているが、掛け具１０の幅等を種々選択することにより１個とされていても良いし、袖部２に設けられている袖部角カン１１ａ（図５（Ｂ）参照）の個数に対応した数となるように、例えば３個以上としても良い。このように複数個とすると、肩帯９を取り付けたときの安定性が向上する。
【００４８】
この掛け具１０は、リュックサック兼用ジャンパー１００が、ジャンパーとして用いられるときは外部から見えないように、掛け具収納ポケット１３に収納されている。また、この掛け具１０には、後述する袖部２が転用された肩帯９に設けられている袖部角カン１１ａが、掛けられるようになっている。掛け具収納ポケット１３は、布状部材１３ａで掛け具１０が上面側から覆われるようにされたものである。この布状部材１３ａは、四角形状とされており、一方の端部が、リュックサック兼用ジャンパー１００の肩の部分に縫いつけられて固定されている。また、他方の端部は、掛け具１０を覆うように広げられたとき、背中側下方に向けて垂れ下がるようにされている。その垂れ下がった先端側には、図示してないが、固定部材例えば面ファスナーやフックなどが設けられ、布状部材１３ａがひらひらしないように胴本体１に固定される。すなわち、布状部材１３ａの固定が解除されると、掛け具１０は露出されることとなる。したがって、この掛け具１０に袖部角カン１１ａを係止させることができるようになる。
【００４９】
なお、布状部材１３ａは、四角形状で図示されているが、掛け具１０が露出しないようにされれば、他の形状例えば５角形、６角形あるいは円形、楕円形などとされても良い。また、下方を向いている布状部材１３ａの両側面側を縫製固定し、底辺側を開放して、袋状ないしポケット状とし、その中に掛け具１０が収納されるようにしても良い。なお、掛け具収納ポケット１３の代わりに、掛け具１０が上からカバーされるように単に襟状として設けたりしても良いし、掛け具収納ポッケト１３を設けず、肩章のようなアクセサリーの働きを持たせて、外部から見えるようにしても良い。また、この布状部材１３ａの材質は、胴本体部１と同じ材質が好ましいが、他の材質例えば皮革やプラスチックス等を用いることも可能である。さらに、上述した布状部材１３ａが設けられていると、開口面がカバーされて雨水等の侵入の防止が可能となる。
【００５０】
また、裾側には、両肩の掛け具１０のそれぞれに対応した位置に角カン１１が設けられている。この裾側の角カン１１は、袖部角カン１１ｂと連結する延長ベルト１２（図６（Ｃ）参照）のベルト１２ａが通過して肩帯９の一部を構成する。この裾側の角カン１１は、リュックサック兼用ジャンパー１００として使用するときは、図示されていないが、通常ポッケットなどを設けたり、他の公知の収納方法を用いたりして見えないよう収納しておいて、リュックサック兼用ジャンパー１００として使用するときの邪魔にならないようにしておくのが好ましい。
【００５１】
図５（Ｂ）は、図６に示されているようなリュックサック１００ａに用いられる肩帯９、すなわち袖部２が帯状に変形された肩帯９が示されている。袖部２は、幅が概ね半分となるように折り畳み部４ｂのように内側に折り畳まれることにより、リュックサック１００ａの肩帯９としての適正な幅に縮められる。その後、上述した袖部２に設けられている一対の袖部連結部材４ａ例えば袖部エレメント務歯がスライダー（図示せず）で結合されて、袖部２は、帯状の形状とされる。なお、袖部２の肩部連結部材５ｂは、上述したように扁平状に閉じられているため、図５（Ｂ）に示すように開口していない。しかし、図５（Ｂ）に示すように、肩部連結部材５ｂが開口している場合は、スライダー４ｃを使用してその開口面を閉じるようにしても良い。すなわち、胴本体部１との接合面は、帯状とするために開口面がないように肩連結部材５例えば袖部２のエレメント務歯ときはスライダー４ｃで閉じられて帯状にされる。
【００５２】
なお、肩連結部材５ｂは、公知の連結部材を用いることが可能で、例えばピンでとめたり、他の部材例えばボタンやフックなどを用いたりする場合は、それらに対応して開口面が閉じられるような部材が設けられていればよい。なお、例えばリュックサック兼用ジャンパー１００の材質が皮革のように充分な強度を有している場合には、袖部角カン１１ａが肩帯９に充分な強度で固定・支持されることから、開口面を閉じなくても良い。
【００５３】
さらに、袖部角カン１１ａは、三つ以上として、開口面を閉じないようにして良い。例えば、図５（Ｃ）に示すように、袖部角カン１１ａを三つとした場合について説明すると、開口面側に三個の袖部角カン１１ａ、１１ａ、１１ａが三角形状に配置される。この袖部角カン１１ａ、１１ａ、１１ａに対応して、掛け具１０，１０、１０が胴本体部１の両方の肩にそれぞれ直線状に配置（図示せず）される。ついで、三つの角カン１１ａ、１１ａ、１１ａのうち、向かい側に配置されている１個の袖部角カン１１ａが中央で、手前側の２個の袖部角カン１１ａ、１１ａがその両脇となるように、上述の直線状に配置されている掛け具１０、１０、１０にそれぞれ順次掛けられる。これにより、袖部角カン１１ａ、１１ａ、１１ａは、直線状に配置（図示せず）されることとなる。これにより、開口面は、自動的に閉鎖されることとなる。なお、掛け具１０と袖部角カン１１ａを四つ以上としても、同様なことが言える。
【００５４】
また、袖口側には、補強テープ１２が設けられており、肩帯９として利用するときはこの補強テープ１２がテープ止め部材１２ａで合体することにより、袖口が束ねられ、その結果、袖口側の開口が閉じられて帯状とされる。なお、この補強テープ１２を袖口に巻き付け、袖口の開口しているのを閉じさせて帯状させるには、面ファスナーやフックあるいはボタン掛けなどの公知の手段を用いることが可能である。これにより、袖部全体にわたって帯形状が確実に維持される。なお、袖部２を帯状とせずに、図示しないが、丸めて棒状として用いることも可能である。
【００５５】
上述したように、肩帯９の根本側（幅広側）には、掛け具１０に掛けられるように袖部角カン１１ａが設けられている。また袖口側にも袖口側角カン１１ｂが設けられている。これらの角カン１１ａ、１１ｂは、いずれもリュックサック兼用ジャンパー１００をジャンパーとして使用する場合は、ポケット状の収納部（図示せず）を設けて、着用時に邪魔にならないようにしておくのが好ましいが、リュックサック兼用ジャンパー１００に予め取り付けておいても良い。また、袖口側に設けられている袖口側角カン１１ｂは、胴本体部１の裾側に設けられている角カン１１と、延長ベルト１２（図６参照）を介して連結される。したがって、肩帯９の長さ調整は、この延長ベルト１２で行われる。なお、掛け具１０は、板状で示されているが、線材が用いられても良いし、代わりにボタンやピンなどが用いられても良い。
【００５６】
すなわち、図６には、完成したリュックサック１００ａが示されている。すなわち、図６には、胴本体部１に袖部２を変形させて肩帯９とされたものが、取り付けられている様子が示されている。図６（Ａ）で示されているように、肩帯９は、胴本体部１の背面側に取り付けられる。肩帯９となる袖部２の袖口側に設けられている袖口側角カン１１ｂと、胴本体部１の裾側に設けられている角カン１１とは、送りカン１４で長さ調節が可能とされている延長ベルト１２で連結されている。また、図６（Ｂ）は、実際にリュックサック１００ａとして使用されるときの様子が斜視図で示されている。肩帯９の長さ調節は、延長ベルト１２の送りカン１４で調節されて長くしたり、短くしたりすることが可能とされている。
【００５７】
図７には、肩帯９が取り付けられる際の部材が例示されている。図７（Ａ）には、胴本体部１の肩に取り付けられる掛け具１０の一例が示されている。掛け具１０は板状の部材が折り曲げられてバネ部１０ａとされている。このバネ部１０ａの先端側は反り返った波状にされていて、袖部角カン１１ａが挿入しやすく、また取り外し易くされている。また、掛け具１０には、バネ部１０ａとは反対側に、四角形状をした穴が設けられ、この穴に例えば強度のある布製でベルト状の固定部材１０ｂが、取り付けられている。掛け具１０の固定部材１０ｂが、胴本体部１の肩付近に縫着されることにより、掛け具１０は胴本体部１に固定される。
【００５８】
図７（Ｂ）で示されているような角カン１１は、肩帯９や胴本体部１の裾側にも用いられている。肩帯９の根本側すなわち胴本体部１との切り離し側に設けられている袖部角カン１１ａは、掛け具１０に掛けられるような寸法とされている。また、肩帯ｚ９の袖口側角カン１１ｂは、延長ベルト１２の先端に設けられる掛け具１０と同種の形状の掛け具が掛けられる寸法とされている。さらに、胴本体部１の裾側に用いられている角カン１１は、後述する延長ベルト１２のベルト本体１２ａが通されるような寸法とされている。図７（Ｃ）には、延長ベルト１２が例示されている。この延長ベルト１２は、ベルト本体１２ａの一端側が、角カン１１に巻き付けられ、他端側が袖口側角カン１１ｂに固定され、送りカン１４で長さ調節と同時に位置の固定がされる。なお、掛け具１０および角カン１１、１１ａ、１１ｂの代わりに、公知の挿入式で着脱ができる係止具（図示せず）を用いるようにしても良い。
【００５９】
本発明の第２の実施の形態として、古着のジャンパーからリュックサック兼用ジャンパー１００としてではなく、リュックサックとしてのみ使用する場合のリュックサック１００ｂの製造方法について、図８を用いて説明する。以下の説明では、第１の実施の形態と同一部材、同一部は同一の符号を使用することとし、その説明を省略または簡略化する。
【００６０】
第１の実施の形態では、リュックサック１００ａからリュックサック兼用ジャンパー１００に戻すために、肩部連結部材５に胴本体部１と袖部２とを接離可能としている。しかし、この実施の形態では、ジャンパーとしての機能に用いられることがないので、肩部連結部材５は不要となる。同様に、袖部連結部材４ａも不要とされる。
【００６１】
まず元となるジャンパーの胴本体部１と袖部２とが切断され、胴本体部１と袖部２とに別々にされる（ステップＳ１０）。胴本体部１は、胴本体部幅調整工程（ステップＳ１１）で両方の脇側が折り込まれるかあるいは切断されて、リュックサック１００ｂとしての適正な幅とされ、背中側の切断面より背中当てパット１ｂが表地と裏地との間に装填される。なお、裏地がない場合は、別の生地を用いて背中当てパット収納用ポケット１ｃが設けられ、そこに背中当てパット１ｂが収納される。ついで、胴本体部両脇縫合わせ工程（ステップＳ１２）で、両脇の折り畳みまたは切断された面が縫い合わされ、背中当てパット１ｂが背中側に固定される。このとき、縫い合わせなく、胴連結部材４を胴本体部１に取り付け、スライダーなどで表側と裏側とを結合させるようにしても良い。
【００６２】
次に、裾側長さ調整工程（ステップＳ１３）で裾側は、リュックサック１００ｂの適正な長さに折り畳まれるか切断されたのち、縫いつけられ袋状とされる。裾側の長さ調整が完了したら、掛け具と角カン取付工程（ステップＳ１４）で、肩側に掛け具１０と裾側に延長ベルト１２と連結可能な角カン１１とが固定部材を介して取り付けられる。なお、角カン１１は、固定部材１０ｂを介して縫い付けられても良いし、穴の空いている部分を利用し直接縫いつけるようにしても良い。
【００６３】
また、切り離された袖部２は、袖部幅調整工程（ステップＳ２１）で円形状の切断面側からみて内側に折り畳まれるか、切断面垂直方向に袖部２の一部が切り取られ、肩帯９としての適正な幅とされ、その対応する折り畳み面または切断面は縫いつけられて一体化される。
【００６４】
ついで、袖部両端調整工程（ステップＳ２２）で袖部２の両端の開口面は縫いつけられる。次に、袖側角カン取り付け工程（ステップＳ２３）で根本側に袖部角カン１１ａが、袖部２の袖口側に袖口側角カン１１ｂがそれぞれ取り付けられ、肩帯９が完成する。なお、角カン１１は、固定部材１０ｂを介して縫い付けられても良いし、直接縫いつけるようにしても良い。また、必要に応じて袖口に補強テープ１２を取り付けても良い。次に、胴本体部袖部合体工程（ステップＳ３１）で、胴本体部１の掛け具１０に、肩帯９の袖部角カン１１ａを係合させて一体化する。なお、掛け具１０と袖部角カン１１ａを設けず、肩帯９の根本側が胴本体部１の肩の部分に縫いつけられるようにしても良い。胴本体部１と肩帯９とが合体されると、延長ベルト付工程（ステップＳ３２）で、肩帯９の袖口側角カン１１ｂと胴本体部１側の角カン１１とが送りカン１４を有する延長ベルト１２で連結される。これにより、リュックサック１００ｂが完成される（ステップＳ３３）。
【００６５】
各実施の形態の説明では、肩部連結部材５、胴連結部材４，袖部連連結部材４ａなどの連結部材としてファスナーを例に説明したが、連結部材はファスナーに限定されるものではなく、面ファスナーやフックやボタンやカギ状の部材など適宜公知の連結手段に置き換えられて用いることが可能である。また、予め複数の紐通し穴を設けておき、その複数の穴に紐を表から裏、裏から表と縫い糸状に紐を通すことにより連結部材の代用としても良い。さらに、各角カン１１、１１ａ、１１ｂの形状は四角形だけでなく多角形や円形であっても良い。さらに、肩帯９や延長ベルト１２は、掛け具１０や送り角カン１４や角カン１１，１１ａ、１１ｂが用いられるものが説明されているが、その代わりに、公知の例えば自動車のシートベルトの固定に用いられるような挿入着脱式の係止具などが用いられたものであっても良いし、さらには紐などで縛り付けるなどして用いることもできる。
【００６６】
各実施の形態に用いられる各連結部材４，４ａ、５の各ファスナーのエレメント務歯や、掛け具１０および角カン１１、１１ａ、１１ｂ、送りカン１４などは、強度が担保されればよいので、金属だけでなく、強度を有するプラスチックス、例えば強化プラスチックスなどを用いることができる。また、リュックサック兼用ジャンパー１００は、布製だけでなく、革製であってもまたプラスチックスのシート状のものが用いられていても差し支えない。また、リュックサック兼用ジャンパー１００やリュックサック１００ｂの元となるジャンパーは、裏地があっても、なくても良い。裏地がなくてもリュックサック１００ａ、１００ｂとするには差し支えない。
【００６７】
しかし、裏地があると折畳んだり巾着状に締めたりするときに、生地の枚数が増えた分強度が上がり、またリュックサック１００ａ、１００ｂに収納される物品の角が飛び出したりして生地が破れたりすることが少なくなるので、収容物の形状の制限が少なくなったり、また収納する重量を大きくすることが可能となる。なお、切断作業や縫製作業による加工は、ジャンパー以外の他の製品加工にも適用できる。すなわち、製品はリュックサック１００ａだけに限らず、ロゴ例えばイニシャルなどを残した鞄やポーチなどの物入れを作ることも可能である。
【００６８】
なお、本発明の実施の形態では、各構成要素を例示的に示したものであり、各実施の形態にのみ限定されるものではなく、各構成要素を適宜組み合わせて用いたり、変更して用いたりすることが可能である。
【図面の簡単な説明】
【００６９】
【図１】本発明の第１の実施の形態に係るリュックサック兼用ジャンパーで、（Ａ）は、表側からみた平面図で、（Ｂ）は、裏側からみた底面図である。
【図２】本発明の実施の形態に係る肩部連結部材カバーを示す図で、（Ａ）は、袖部に設けられている肩部連結部材カバーを示す部分斜視図で、（Ｂ）は、胴本体部に袖部が取り付けられたときの肩部連結部材カバーの様子を示す部分斜視図である。
【図３】図１に示すリュックサック兼用ジャンパーの部分平面図で、（Ａ）は袖部が取り外されている胴本体部を表側から見た平面図で、（Ｂ）は裏側から見た底面図である。
【図４】図１に示すリュックサック兼用ジャンパーの部分平面図で、（Ａ）は、胴本体部が胴連結部材で幅狭とされている様子を表側から見た平面図で、（Ｂ）は裏側から見た底面図である。
【図５】図１に示すリュックサック兼用ジャンパーの部分図で、（Ａ）は、掛け具、角カンを取り付けた状態を示す図で、（Ｂ）は袖部の折り畳みを示す斜視図で、（Ｃ）は袖部の袖口側が補強テープで閉じられている様子を示す斜視図である。
【図６】図１に示すリュックサック兼用ジャンパーをリュックサックとしたときの様子を示す図で、（Ａ）は肩帯側から見た平面図で、（Ｂ）は着用されたときの様子を示す斜視図である。
【図７】図１に示すリュックサック兼用ジャンパーの肩帯が取り付けられる際に用いられる各種部材を説明する図で、（Ａ）は掛け具を示す斜視図で、（Ｂ）は角カンを示す図で、（Ｃ）は延長ベルトを示す図である。
【図８】本発明の第２の実施の形態に係るリュックサックの製造工程を示す図である。
【符号の説明】
【００７０】
１                    胴本体部
２                    袖部
４                    胴連結部材（連結部材）
４ａ                  袖部連結部材（連結部材）
５                    肩部連結部材（連結部材）
９                    肩帯
１０                  掛け具
１１                  角カン
１２                  延長ベルト
１００                リュックサック兼用ジャンパー
１００ａ              リュックサック
【図１】
2009275307.tif 000003
【図２】
2009275307.tif 000004
【図３】
2009275307.tif 000005
【図４】
2009275307.tif 000006
【図５】
2009275307.tif 000007
【図６】
2009275307.tif 000008
【図７】
2009275307.tif 000009
【図８】
2009275307.tif 000010